(57)【特許請求の範囲】
【請求項１】
建具枠に建具体を、見込み方向に接すると共に、外れ止め具で見込み方向に外れないように取り付けた建具であって、
前記外れ止め具は、本体と、この本体に外れ止め位置と非外れ止め位置に亘って見付け方向に移動自在に設けた外れ止め部材と、前記本体に前記外れ止め部材の移動方向に移動自在に設けられた操作部材を備え、
前記外れ止め部材は、本体に見付け方向に移動自在に設けた取付部と、この取付部に設けられ、本体の見込み方向他側に位置した外れ止め部を有し、
前記操作部材は、前記取付部に連結した連結部と、この連結部に設けられ、本体の見込み方向一側に位置したつまみ部を有し、
前記取付部と連結部は、前記外れ止め部材の移動方向と直角の左右方向に動かないように嵌まり合うと共に、その取付部と連結部の左右の嵌合面を、前記外れ止め部材の移動方向に連続し、かつ外れ止め部材と操作部材を外れ止め部材の移動方向に相対的に移動することで相互に嵌合する突条と凹溝が見込み方向に交互に有した凹凸形状とし、前記取付部と連結部を見込み方向に動かないように連結したことを特徴とする建具。
【請求項２】
前記取付部は、見付け方向内側に開口した凹陥部を有し、この凹陥部の対向した左右面を、前記突条と凹溝が見込み方向に交互に有した凹凸形状とし、
前記連結部は、前記凹陥部に嵌まり合うと共に、その左右の外面を、前記突条と凹溝が見込み方向に交互に有した凹凸形状とし、
前記取付部の凹陥部に連結部を、その凹凸が嵌合するように嵌め込むことで見込み方向及び左右方向に動かないように連結し、
前記操作部材で外れ止め部材を外れ止め位置に向かう方向に移動するときには、連結部が凹陥部の底面に面接触するようにした請求項１記載の建具。
【請求項３】
前記取付部の凹陥部における対向した左右面は、前記突条と凹溝が見込み方向に交互に有した凹凸形状で、
前記連結部の左右の外面は、前記突条、凹溝が見込み方向に交互に有した凹凸形状で、
前記取付部と連結部を相対的に前記外れ止め部材の移動方向に移動することで各突条と各凹溝を嵌合して連結するようにし、
前記連結部が凹陥部の底面に接すると共に、取付部に設けた係合片の係合部が連結部の被係合部に係合することで、取付部と連結部が見付け方向に動かないように連結した請求項２記載の建具。
【請求項４】
前記本体は、操作部材の連結部が外れ止め部材の移動方向に移動可能に挿通する開口部を有し、
前記外れ止め部材を外れ止め位置に向けて移動するときには、取付部が本体に接する以前に、前記連結部が開口部の見付け方向外側の開口面に接し、
外れ止め部材を非外れ止め位置に向けて移動するときには、取付部が本体に接する以前に、前記連結部が開口部の見付け方向内側の開口面に接するようにした請求項３記載の建具。
【請求項５】
前記本体は、取付部の左右の外面と対向した左右一対の被係合部材を備え、この被係合部材は見付け方向に離隔した第１被係合部と第２被係合部を有し、
前記取付部の左右の外面には、係合部を有した係合部材がそれぞれ設けられ、
この係合部が第１被係合部に係合すると外れ止め部材が外れ止め位置に保持され、その係合部が第２被係合部に係合すると外れ止め部材が非外れ止め位置に保持されるようにした請求項１〜４いずれか１項記載の建具。
【発明の詳細な説明】
【技術分野】
【０００１】
本発明は、建具枠に網戸等の建具体を取付けした建具に関する。
【背景技術】
【０００２】
従来、建具枠に建具体として網戸を取付けした建具が種々提案されている。
例えば、特許文献１に開示されたように、建具枠の上枠に上枠レールを設け、建具体の上框に上枠レール係合受部材を取付け、その建具体を垂直に対して斜めの姿勢として持ち上げることで、上枠レール係合受部材を上枠レールよりも室内側の上方に移動し、その状態で建具体を垂直の姿勢とした後に、建具体を下方に移動して取付けるようにした、いわゆる、上下けんどん式に取付ける建具が提案されている。
この建具であると、建具体を建具枠に取り付ける作業が面倒であるので、特許文献２に開示されたように、本体に外れ止め部材と操作部材を設けた外れ止め具を建具体に取り付け、外れ止め具の外れ止め部材を非外れ止め位置として建具体を建具枠の見込み方向一側面に接し、この状態で外れ止め部材を外れ止め位置に移動し、建具枠の見込み方向他側面に外れ止め部材を接して建具体を建具枠に取り付けできるようにした建具が提案されている。
この建具であれば、操作部材により外れ止め部材を外れ止め位置と非外れ止め位置とに渡って移動することで建具体を建具枠に簡単に取り付けできる。
【先行技術文献】
【特許文献】
【０００３】
【特許文献１】特開２００４−２８５６０３号公報
【特許文献２】特開２００９−２２８３６４号公報
【発明の概要】
【発明が解決しようとする課題】
【０００４】
前述した従来の建具は、その外れ止め具が、本体に外れ止め部材を外れ止め位置と非外れ止め位置とに亘って移動自在に設け、その外れ止め部材に操作部材を連結し、その操作部材を人が手で持って移動することで外れ止め部材を外れ止め位置と非外れ止め位置とに移動する構成である。
このために、建具体を建具枠に取り付けた状態で風圧などにより建具に見込み方向一側方に向かう外力が作用したとき（つまり、建具体取り付け状態で外力作用時）等に、負荷（力）が外れ止め部材と操作部材の連結部分に集中し、その連結部分が破損して外れ止め部材が本体から外れることがある。
このように、外れ止め部材が本体から外れると建具枠に取り付けた建具体が脱落することがある。
【０００５】
本発明の目的は、建具体を建具枠に簡単に取り付けできると共に、取付状態の建具体に外力が作用したときに外れ止め部材が本体から外れることがないようにした建具とすることである。
【課題を解決するための手段】
【０００６】
本発明の建具は、建具枠に建具体を、見込み方向に接すると共に、外れ止め具で見込み方向に外れないように取り付けた建具であって、
前記外れ止め具は、本体と、この本体に外れ止め位置と非外れ止め位置に亘って見付け方向に移動自在に設けた外れ止め部材と、前記本体に前記外れ止め部材の移動方向に移動自在に設けられた操作部材を備え、
前記外れ止め部材は、本体に見付け方向に移動自在に設けた取付部と、この取付部に設けられ、本体の見込み方向他側に位置した外れ止め部を有し、
前記操作部材は、前記取付部に連結した連結部と、この連結部に設けられ、本体の見込み方向一側に位置したつまみ部を有し、
前記取付部と連結部は、前記外れ止め部材の移動方向と直角の左右方向に動かないように嵌まり合うと共に、その取付部と連結部の左右の嵌合面を、前記外れ止め部材の移動方向に連続し、かつ外れ止め部材と操作部材を外れ止め部材の移動方向に相対的に移動することで相互に嵌合する突条と凹溝が見込み方向に交互に有した凹凸形状とし、前記取付部と連結部を見込み方向に動かないように連結したことを特徴とする建具である。
【０００７】
本発明の建具においては、前記取付部は、見付け方向内側に開口した凹陥部を有し、この凹陥部の対向した左右面を、前記突条と凹溝が見込み方向に交互に有した凹凸形状とし、
前記連結部は、前記凹陥部に嵌まり合うと共に、その左右の外面を、前記突条と凹溝が見込み方向に交互に有した凹凸形状とし、
前記取付部の凹陥部に連結部を、その凹凸が嵌合するように嵌め込むことで見込み方向及び左右方向に動かないように連結し、
前記操作部材で外れ止め部材を外れ止め位置に向かう方向に移動するときには、連結部が凹陥部の底面に面接触するようにできる。
このようにすれば、操作部材で外れ止め部材を外れ止め位置に向けて移動するときに、誤操作で外れ止め部材が建具枠に押しつけられ取付部と連結部の連結部分に見付け方向の外力が作用した場合に、その外力を凹陥部の底面と連結部の面接触部分で分散して支持し、一点に集中することがないので、取付部と連結部の連結部分が破損して外れ止め部材が外れることがない。
【０００８】
本発明の建具においては、前記取付部の凹陥部における対向した左右面は、前記突条と凹溝が見込み方向に交互に有した凹凸形状で、
前記連結部の左右の外面は、前記突条、凹溝にそれぞれ見付け方向から嵌合する凹溝と突条が見込み方向に交互に有した凹凸形状で、
前記取付部と連結部を相対的に前記外れ止め部材の移動方向に移動することで各突条と各凹溝を嵌合して連結するようにし、
前記連結部が凹陥部の底面に接すると共に、取付部に設けた係合片の係合部が連結部の被係合部に係合することで、取付部と連結部が見付け方向に動かないように連結することができる。
このようにすれば、取付部と連結部を相対的に見付け方向に動かすことで、取付部と連結部を見付け方向に動かないように連結でき、操作部材のつまみ部で外れ止め部材を外れ止め位置、非外れ止め位置に移動できる。
【０００９】
本発明の建具においては、前記本体は、操作部材の連結部が外れ止め部材の移動方向に移動可能に挿通する開口部を有し、
前記外れ止め部材を外れ止め位置に向けて移動するときには、取付部が本体に接する以前に、前記連結部が開口部の見付け方向外側の開口面に接し、
外れ止め部材を非外れ止め位置に向けて移動するときには、取付部が本体に接する以前に、前記連結部が開口部の見付け方向内側の開口面に接するようにできる。
このようにすれば、操作部材のつまみ部を必要以上の強い力で操作して外れ止め部材を外れ止め位置、非外れ止め位置に移動したときに、連結部が開口部の外れ止め部材の移動方向外側又は内側の開口面に接してつまみ部の操作力を本体で支持し、連結部と取付部の連結部分には作用しないから、その連結部分が破損して外れ止め部材が外れることがない。
【００１０】
本発明の建具においては、前記本体は、取付部の左右の外面と対向した左右一対の被係合部材を備え、この被係合部材は見付け方向に離隔した第１被係合部と第２被係合部を有し、
前記取付部の左右の外面には、係合部を有した係合部材がそれぞれ設けられ、
この係合部が第１被係合部に係合すると外れ止め部材が外れ止め位置に保持され、その係合部が第２被係合部に係合すると外れ止め部材が非外れ止め位置に保持されるようにできる。
このようにすれば、外れ止め部材を外れ止め位置で保持できるから、建具体を建具枠に確実に取り付けできる。
また、外れ止め部材を非外れ止め位置で保持できるから、建具体を建具枠に取り付ける作業が一層やり易い。
また、係合部材、被係合部材は取付部と連結部の連結部分とは離れており、その連結部分に作用する外力が、その係合部材、被係合部材には作用しないので、耐久性が向上する。
【発明の効果】
【００１１】
本発明の建具によれば、建具枠に建具体を簡単に取り付けできる。
また、取付部と連結部の連結部分に作用する取付部と連結部を見込み方向に引き離す力を、取付部の突条、凹溝と連結部の凹溝、突条の嵌合した凹凸部分の広い面積で支持するから、その外力で連結部分が破損することがなく、取付状態の建具体に外力が作用したときに外れ止め部材が本体から外れることがない。
【図面の簡単な説明】
【００１２】
【図１】本発明の実施の形態を示す建具の概略内観図である。
【図２】図１の詳細縦断面図である。
【図３】図１の詳細横断面図である。
【図４】外れ止め具の外れ止め状態の正面図である。
【図５】外れ止め具の外れ止め状態の背面図である。
【図６】図４のＡ−Ａ断面図である。
【図７】図４のＢ−Ｂ断面図である。
【図８】外れ止め具の分解斜視図である。
【図９】外れ止め部材の斜視図である。
【図１０】外れ止め具の非外れ止め状態の正面図である。
【図１１】外れ止め具の非外れ止め状態の背面図である。
【図１２】図１０のＣ−Ｃ断面図である。
【発明を実施するための形態】
【００１３】
図１に示すように、建具枠１に建具体２を取付けて建具としてある。
前記建具体２は建具枠１に見込み方向に接していると共に、外れ止め具３で見込み方向に外れないように取付けてある。
前記建具枠１は、上枠１０と下枠１１と左右の縦枠１２を方形状に連結してある。
前記建具体２は、上横材２０と下横材２１と左右の縦材２２を方形状に連結した枠体２３を備えている。
【００１４】
この実施の形態では、前記枠体２３に防虫網２４を張設して網戸としてある。
前記建具体２は枠体を備えないパネル状のものでも良く、前記上横材２０が建具体２の上部、下横材２１が下部、左右の縦材２２が左右の縦部である。
【００１５】
前記建具体２は、図１、図２、図３に示すように、下横材２１の下部２１ａが下枠１１の建具体取付部１１ａに載置し、上横材２０が上枠１０の建具体取付部１０ａにおける見込み方向一側面に当接すると共に、左右の縦材２２が左右の縦枠１２の建具体取付部１２ａにおける見込み方向一側面に当接し、前記枠体２３に取付けた外れ止め具３で建具体２が見込み方向一側方に外れないように支持されることで、建具体２が建具枠１に取付けてある。
前記見込み方向とは、図２における左右方向、例えば室内側と室外側に向かう方向で、見込み方向一側とは例えば、室内側で、見込み方向他側とは例えば、室外側である。
【００１６】
前記外れ止め具３は、上横材２０の長手方向両端寄りと下横材２１の長手方向両端寄りにそれぞれ取付けてある。
この外れ止め具３は、図１〜図３に示すように、本体３０と、この本体３０に外れ止め位置と非外れ止め位置とに亘って見付け方向に移動自在に設けた外れ止め部材４０と、この外れ止め部材４０を移動するための操作部材５０を備えている。
前記外れ止め部材４０は図２に示すように、建具体取付け状態においては上枠１０、下枠１１の建具体取付部１０ａ，１１ａよりも見込み方向他側寄りに位置し、この外れ止め部材４０は、図２に実線で示すように前記建具体取付部１０ａ，１１ａよりも見付け方向外側に突出した外れ止め位置と、図２に仮想線で示すように、前記建具体取付部１０ａ，１１ａよりも見付け方向内側の非外れ止め位置とに亘って移動自在である。
前述の見付け方向とは建具枠１における上枠１０と下枠１１に向かう上下方向で、見付け方向外側とは上枠１０の場合には下枠１１と離れる上方で、下枠１１の場合には上枠１０と離れる下方である。前記見付け方向内側とは上枠１０の場合には下枠１１に向かう下方で、下枠１１の場合には上枠１０に向かう上方である。
【００１７】
すなわち、上横材２０に取付けた外れ止め具３の外れ止め部材４０は、上枠１０の建具体取付部１０ａよりも上方の外れ止め位置と、下方の非外れ止め位置とに亘って移動する。
前記下横材２１に取付けた外れ止め具３の外れ止め部材４０は、下枠１１の建具体取付部１１ａよりも下方の外れ止め位置と、上方の非外れ止め位置とに亘って移動する。
【００１８】
操作部材５０は本体３０内で外れ止め部材４０に連結されていると共に、その操作部材５０は本体３０の見込み方向一側面よりも突出し、人が操作部材５０を手で持って見付け方向に動かすことで外れ止め部材４０を外れ止め位置と非外れ止め位置とに移動できるようにしてある。
【００１９】
このようであるから、建具体２は次の動作によって建具枠１に取付けできる。
前述のように、操作部材５０を人が手で持って外れ止め部材４０を非外れ止め位置に移動する。
この状態で、建具体２を手で持って建具枠１の見込み方向一側方に、垂直姿勢として対向させ、そのままの状態で建具体２を見込み方向他側方に向けて略平行移動し、図２、図３に示すように、各外れ止め具３の外れ止め部材４０を上枠１０、下枠１１の建具体取付部１０ａ，１１ａよりも見込み方向他側寄りとすると共に、上横材２０、縦材２２を上枠１０、縦枠１２の建具体取付部１０ａ，１２ａの見込み方向一側面に当接し、下横材２１の下部２１ａを下枠１１の建具体取付部１１ａに載置する。
そして、操作部材５０により外れ止め部材４０を外れ止め位置に移動して建具体２を建具枠１に取付けできる。
したがって、建具体２を建具枠１に簡単に取付けできる。
【００２０】
次に、各部材を詳細に説明する。
前記上枠１０は図２に示すように、上枠本体１３の見込み方向一側寄りに下向き片１５を有し、この下向き片１５の上下中間に気密材が装着してあると共に、その下部が見込み方向に向かうコ字形状で、そのコ字形状部分が前述の建具体取付部１０ａとしてある。
【００２１】
前記下枠１１は、図２に示すように、見込み方向一側部の気密材よりも上方の上部に横向片１６を備え、この横向片１６が建具体取付部１１ａとしてある。
前記縦枠１２は、図３に示すように、見込み方向に向かう基板１７の見込み方向一側寄りに見付け方向内側に向かう内向板１８を有し、この内向板１８に気密材が装着してあると共に、建具体取付部１２ａとしてある。
また、前記建具枠１には仮想線で示すように、障子１９が縦すべり出し自在に取付けてあり、前述の縦すべり出し窓としてある。この障子１９の取付けは従来と同様であるので、図示を省略してある。
【００２２】
前記上横材２０、下横材２１、縦材２２は図２、図３に示すように、中空形状の本体２５の見付け方向内側に網戸取付用の溝２６を有し、この溝２６に防虫網２４の周縁部が押えビード２７で取付けてある。
【００２３】
次に、外れ止め具３の詳細を図４〜図１２に基づいて説明する。
本体３０は、本体部３１と、この本体部３１に設けた第１連結部材３２と第２連結部材３３でほぼ鉤形状で、その第１連結部材３２が上横材２０、下横材２１の本体２５の中空部に嵌合し、第２連結部材３３が縦材２２の本体２５の中空部に嵌合して上横材２０と縦材２２、下横材２１と縦材２２を連結する。
つまり、本体３０は上下横材２０，２１と縦材２２を連結するコーナーブロックである。
【００２４】
本体部３１は、表面板３１ａと、上下方向外側の第１横板３１ｂと、上下方向内側の第２横板３１ｃと、左右方向一側の第１縦板３１ｄと、左右方向他側の第２縦板３１ｅで裏面が開口した矩形箱形状で、第１縦板３１ｄに第１連結部材３２が左右方向に向けて設けられ、第２横板３１ｃに第２連結部材３３が上下方向に向けて設けてある。
前述の上下方向とは建具体２に取り付けた状態で見付け方向で上下に向かう方向のことで、その上下方向外側とは、上横材２０に取り付ける外れ止め具の場合には上側で、下横材２１に取り付ける外れ止め具の場合には下側である。
前述の上下方向内側とは、上横材２０に取り付ける外れ止め具の場合には下側で、下横材２１に取り付ける外れ止め具の場合には上側である。
前述の左右方向とは建具体２に取り付けた状態で見付け方向で左右方向に向かう方向である。
前述の表面板３１ａには操作部材５０が上下方向に移動可能に挿通する開口部３４が形成され、第２横板３１ｃには切欠き３１ｃ−ａが開口部３４と左右方向同一位置として形成してある。
【００２５】
本体部３１内における開口部３４よりも左右両側寄りに左右一対の被係合部材、例えば縦片３５，３５が設けられ、この縦片３５は上下端部が前述の第１横板３１ｂ、第２横板３１ｃに連結され、その中間部が左右方向に弾性変形し易くしてある。
この縦片３５には第１係合受部３５ａ、第２係合受部３５ｂが上下方向に離隔して有する。
【００２６】
外れ止め部材４０は、前述の本体３０の本体部３１内に上下動自在に設けられる取付部４１と、この取付部４１に設けられ前述の本体部３１より上方に突出する外れ止め部４２を有している。
この取付部４１は横板４１ａと左右一対の縦板４１ｂで上下方向内側に開口した凹陥部４１ｃを有し、その一対の縦板４１ｂの外面の上下部に左右一対の係合部材、例えば縦片４３の上下端部が一体に設けてあり、この縦片４３の上下中間部は縦板４１ｂの外面と離隔して左右方向に弾性変形し易くしてある。
この縦片４３の上下中間には係合部４３ａが設けられ、この係合部４３ａが前述の第１係合受部３５ａ、第２係合受部３５ｂに係合するようにしてある。これにより、外れ止め部材４０を外れ止め位置、非外れ止め位置で保持する保持機構としてある。
【００２７】
そして、係合部４３ａが図５に示すように第１係合受部３５ａに係合すると外れ止め部材４０は、その外れ止め部４２が本体部３１よりも上下方向外側に突出した前述の外れ止め位置に保持される。
係合部４３ａが図１１に示すように第２係合受部３４ｂに係合すると外れ止め部材４０は、その外れ止め部４２が前述の非外れ止め位置に保持される。
【００２８】
取付部４１の凹陥部４１ｃの対向した左右面（一対の縦板４１ｂの対向面）には、上下方向に連続した突条４４と凹溝４５が左右方向と直角な方向、つまり見込み方向に交互に複数有し、その対向した左右面は、凹凸が見込み方向に連続した凹凸形状としてある。
この取付部４１の凹陥部４１ｃの対向した左右面の下部寄りに係止片４６の下部が一体に設けられ、この係止片４６の上部は横板４１ａに向けて延出して見込み方向に弾性変形し易く、その係止片４６の上部が係止部４６ａとなっている。
【００２９】
操作部材５０は、つまみ部５１と、このつまみ部５１に設けた連結部５２を備え、そのつまみ部５１は前述の本体部３１の開口部３４よりも大きな板状で、連結部５２は開口部３４を挿通可能でかつ外れ止め部材４０の取付部４１の凹陥部４１ｃに上下方向から挿入可能な大きさである。
この連結部５２の左右の外面５２ａには、前述の取付部４１の凹陥部４１ｃの対向した左右面に設けた突条４４、凹溝４５が上下方向から嵌まり合う上下方向に連続した凹溝５３と突条５４が見込み方向に交互に複数有し、この連結部５２の左右の外面５２ａは、取付部４１の凹陥部４１ｃの対向した左右面と上下方向から嵌まり合う見込み方向に連続した凹凸形状となっている。
【００３０】
さらに、連結部５２には、前述の係止片４６の係止部４６ａが係合して連結部５２が取付部４１に対して上下方向内側に向かう方向（つまり、外れ止め部材４０が外れ止め位置から非外れ止め位置に移動する方向）には移動できないように保持する被係合部５５が設けてある。
例えば、連結部５２を上下の横片と左右の縦片とで矩形中空形状とし、その横片の先端部を被係合部５５としてある。
【００３１】
外れ止め具３は次のようにして組み立てることができる。
本体３０の本体部３１の裏面側から外れ止め部材４０の取付部４１を、その左右両側の縦片４３が本体部３１内の左右一対の縦片３５間に嵌まり合うようにして設ける。
一方、操作部材５０の連結部５２を本体部３１の表面側から開口部３４を挿通して本体部３１内に挿入する。
このとき、取付部４１と連結部５２が干渉しないように取付部４１を上下方向外側（上方）に位置させると共に、連結部５２を上下方向内側（下方）に位置させる。
【００３２】
これにより、取付部４１の凹陥部４１ｃと連結部５２が上下方向に対向し、つまみ５１を持って連結部５２を上下方向外側（上方）に向けて移動することで、取付部４１の突条４４、凹溝４５（つまり凹凸）と連結部５２の突条５４、凹溝５３（つまり凹凸）が嵌まり合うようにして取付部４１と連結部５２を見込み方向に動かないように連結する。
なお、外れ止め部材４０を上下方向内側（下方）に向けて移動しても良い。
【００３３】
前述のように、連結部５２を上下方向外側に向けて移動することで、被係合部５５が係止片４６に沿って摺動して係止片４６を見込み方向に弾性変形し、被係合部５５が係止片４６を通過すると、係止片４６が弾性復元して係止部４６ａが被係合部５５に係合して連結部５２が上下方向内側に移動しないように保持する。
このとき、連結部５２の上面（上下方向外側面）が取付部４１の凹部４１ｃの底面に面接触し、連結部５２が取付部４１に対してそれ以上上下方向外側（上方）に移動しないようにする。
これにより、連結部５２と取付部４１が上下方向に相対的に動かないように連結される。
【００３４】
前述のようにして外れ止め具３を組み立てた状態で、その本体３０の第１連結部材３２を上横材２０、下横材２１の本体２５の中空部に嵌合すると共に、第２連結部材３３を縦材２２の本体２５の中空部に嵌合して上横材２０、下横材２１と縦材２２を連結して枠体２３を枠組みする。
このようであるから、外れ止め具３を利用して枠体２３を簡単に枠組みできる。
【００３５】
図２、図３に示すように建具体２を建具枠１に取り付けた状態で、建具体２に風圧などにより見込み方向一側に向かう外力（矢印ａ）が作用すると、外れ止め部材４０には見込み方向他側に向かう力が作用し、操作部材５０には見込み方向一側に向かう力が作用するので、外れ止め部材４０と操作部材５０の連結部分には見込み方向に引き離す力が作用する。
しかしながら、外れ止め部材４０の取付部４１と操作部材５０の連結部５２は図７に示すように、複数の突条４４，５３と凹溝４５，５４が嵌まり合っているので、その突条と凹溝が嵌まり合っている複数の部分において前述の引き離す力を分散して支持するから、前述の引き離す力が取付部４１と連結部５２の連結部分の一点に集中することがなく、その連結部分が破損して取付部４１と連結部５２が分離し、外れ止め部材４０が本体３０（つまり、建具体２）から外れることがない。
したがって、強風によって外れ止め部材４０が建具体２から外れて建具体２が建具枠１から脱落することがない。
【００３６】
また、建具体２を建具枠１に取り付ける際に、非外れ止め位置の外れ止め部材４０を操作部材５０で外れ止め位置に向けて移動したときに、誤操作で外れ止め部材４０が建具枠１に押しつけられることがある。
この場合には、取付部４１と連結部５２の連結部分に上下方向（見付け方向）の外力が作用し、その外力で連結部分に上下方向に向かうせん断力が生じるが、操作部材５０で外れ止め部材４０を外れ止め位置に向けて移動するときには、図１２に示すように連結部５２の上面が取付部４１の凹陥部４１ｃの底面に面接触し、その接触面積が広いので、前述の上下方向の外力を広い面積で分散して支持し、一点に集中することがない。
したがって、取付部４１と連結部５２の連結部分が破損することがないから、前述したような誤操作により連結部分に上下方向の外力が作用したときに、連結部分が破損して外れ止め部材４０が建具体２から外れることがない。
【００３７】
操作部材５０のつまみ部５１を持って外れ止め部材４０を外れ止め位置に移動すると、図５に示すように係合部４３ａが第１被係合部３５ａに係合して外れ止め位置に保持するが、この状態では図６に示すように取付部４１の上面（横板４１ａ）が本体部３１の第１横板３１ｂの下面と離れていると共に、連結部５２の上面が開口部３４の見付け方向の内側の開口面３４ａと離れている。
そして、つまみ部５１に必要以上の強い操作力を加えて外れ止め部材４０を外れ止め位置に移動したときには、連結部５２の上面が開口部３４の前述の開口面３４ａに当接し、取付部４１の上面は本体３１の第１横板３１ｂの下面と離れるようにしてある。
【００３８】
このようであるから、取付部４１と連結部５２の連結部分には負荷が掛かることがなく、その連結部分が破損することがないので、耐久性が向上する。
【００３９】
操作部材５０のつまみ部５１を持って外れ止め部材４０を外れ止め位置から非外れ止め位置に向けて移動して非外れ止め位置とすると、図１１に示すように係止部３５ｂが第２被係止部４３ｂに係合して非外れ止め位置に保持する。
このとき、図１２に示すように、連結部５２の下面が開口部３４の見付け方向内側の開口面３４ｂに当接し、取付部４１は本体部３１に接しないと共に、それ以上下方に移動しないようにする。
これによって、被係合部５５が強い力で係合片４６の係合部４６ａに押しつけられて破損等することを防止できる。
【００４０】
前述の取付部４１は本体部３１の左右一対の縦片３５間に設けられ、その取付部４１の左右の外面に縦片４３が設けてあるので、外れ止め部材４０を外れ止め位置、非外れ止め位置で保持する縦片３５，４３（被係合部材、係合部材）は、取付部４１と連結部５２を連結する連結部分（凹溝、突条）と離れ、連結部分に作用する力が作用しないので、耐久性が向上する。
【００４１】
図４に示すように、外れ止め部材４０（外れ止め部４２）が外れ止め位置のときには操作部材５０のつまみ部５１は本体部３１内に位置して開口部３４を閉塞する。
図１０に示すように、外れ止め部材４０が非外れ止め位置のときには操作部材５０のつまみ部５１が本体部３１の下方寄り位置に移動して開口部３４の上方部分を開放する。
このようであるから、正面から見たときに開口部３４が開放しているときは外れ止め部材４０が非外れ止め位置であると共に、開口部３４が閉塞されているときには外れ止め部材４０が外れ止め位置であると目視によって知ることができる。
【００４２】
前述の実施の形態では取付部４１の凹陥部４１ｃに連結部５２を嵌め込み、凹陥部４１ｃの対向した左右面の突条４４、凹溝４５と連結部５２の左右の外面の凹溝５３、突条５４を嵌合して見込み方向に動かないように連結したが、連結部５２に凹陥部を形成し、取付部４１を連結部５２の凹陥部に嵌め込むようにしても良い。
つまり、取付部４１と連結部５２を左右方向に動かないように嵌め合うと共に、その左右の嵌合面を、凹凸が見込み方向に連続した凹凸形状として見込み方向に動かないように連結すれば良い。
【００４３】
前述の実施の形態は、建具体２として網戸としたが、パンチングパネル、ルーバー、ガラリ等でも良い。
また、上横材２０、下横材２１に外れ止め具３を取り付けしたが、縦材２２に取り付けても良いし、上・下横材２０，２１と縦材２２にそれぞれ取り付けても良い。
すなわち、外れ止め具３は建具体２の上下、左右の任意の位置に取り付けることができる。
また、本体５０を建具体２にビス等で取り付けるようにしても良い。
また、本発明の外れ止め具は、建具体の取り付けに限ることはなく、他の部材の取り付けなどに使用できるものである。
【符号の説明】
【００４４】
１…建具枠、２…建具体、３…外れ止め具、３０…本体、３４…開口部、３５…被係合部材、３５ａ…第１被係合部、３５ｂ…第２被係合部、４０…外れ止め部材、４１…取付部、４１ｃ…凹陥部、４２…外れ止め部、４３…係合部材、４３ａ…係合部、４４…突条、４５…凹溝、４６…係合片、４６ａ…係合部、５０…操作部材、５１…つまみ部、５２…連結部、５３…凹溝、５４…突条、５５…被係合部。
【図１】
0005835773.tif 000002
【図２】
0005835773.tif 000003
【図３】
0005835773.tif 000004
【図４】
0005835773.tif 000005
【図５】
0005835773.tif 000006
【図６】
0005835773.tif 000007
【図７】
0005835773.tif 000008
【図８】
0005835773.tif 000009
【図９】
0005835773.tif 000010
【図１０】
0005835773.tif 000011
【図１１】
0005835773.tif 000012
【図１２】
0005835773.tif 000013